(57)【要約】【課題】軽量体を用いるコンクリートスラブ工法において、埋込体（２０）の着脱が容易な構造を有し、コンクリート打設後の気泡発生を防止する埋込体ユニット（１０）を提供する。【解決手段】埋込体ユニット（１０）を合成樹脂材料から成る埋込体上部要素（２１）と、発泡合成樹脂から成る埋込体下部要素（２２）を合わせて組み立てることにより形成した埋込体（２０）と、支持筋（３１）と、支持筋（３１）に直交方向に接合され一定間隔に設けられた、上記埋込体上部要素（２１）に形成された中嵌入溝（２４）、側嵌入溝（２５ａ、２５ｂ）に嵌入され、固定蓋（２６）を折り曲げ、固定蓋（２６）と鉤（２７ａ、２７ｂ）とを結合することで、支持筋（３１）と埋込体（２０）を連結する埋込体固定筋（３２）を有する埋込体固定金具（３０）により形成する。【選択図】図１
2009215776.tif 000002
【特許請求の範囲】
【請求項１】
縦横に配筋された上端筋（３）と下端筋（４）との間の空間（５）に軽量材からなる埋込体（６）を位置させ、該埋込体（６）をコンクリートスラブ（１）内に埋設するコンクリートボイドスラブ工法に用いられる複数の埋込体（６）を埋込体固定金具（２）により連結させた埋込体ユニット（１０）であって、
球体及び楕円球体の外殻を複数割りにした如き形状をした合成樹脂材料から成る埋込体上部要素（２１）と、球体及び楕円球体の外殻を複数割りにした如き形状をした発泡合成樹脂から成る埋込体下部要素（２２）の上部開口周縁（２３ａ）と下部開口周縁（２３ｂ）を合わせて組み立てることにより形成した埋込体（２０）と、
縦横に配筋された上端筋（３）のうち、一方の上端筋（３ｘ）に対してほぼ平行に配置される支持筋（３１）と、支持筋（３１）に直交方向に接合され一定間隔に設けられた、上記埋込体上部要素（２１）に形成された中嵌入溝（２４）、側嵌入溝（２５ａ、２５ｂ）に嵌入され、固定蓋（２６）を折り曲げ、固定蓋（２６）とスナップフィット機構を持つ鉤（２７ａ、２７ｂ）とを結合することで、支持筋（３１）と埋込体（２０）を連結する埋込体固定筋（３２）を有する埋込体固定金具（３０）、から成ることを特徴とする埋込体ユニット（１０）。
【請求項２】
前期埋込体（２０）の埋込体上部要素（２１）を、機密性を有する合成樹脂材料により形成したことを特徴とする埋込体ユニット（１０）、
【発明の詳細な説明】
【技術分野】
【０００１】
本発明は、建築物の鉄筋コンクリートスラブ内に軽量材からなる埋込体（ボイド）を埋設して軽量のコンクリートスラブを形成する技術に関する。
【背景技術】
【０００２】
軽量材からなる埋込体をコンクリート内に埋設したコンクリートボイドスラブ工法が知られている。
すなわち、ボイドと称される軽量材から成る埋込体を型枠板の上面に適宜配置し、その後、コンクリートを打設するものである。
これにより、コンクリート内に中空部が形成され、コンクリートスラブの軽量化を図り、また、遮音性等を向上させることができる。
【０００３】
ところで、従来のコンクリートボイドスラブ工法にあっては、コンクリートの打設時に埋込体が浮き上がったり、移動したりしてしまうという問題があった。
すなわち、埋込体は軽量材、例えば、発泡スチロールなどが使われるため、コンクリートの打設時に大きな浮力が掛かってしまい、埋込体をコンクリートスラブの所定の位置に置いたとしても移動してしまい、設計通りの位置に埋込体を埋設することは必ずしも容易なことではない。
【０００４】
このような埋込体の浮き上がり、移動を防止するものとして、縦横に配筋された上端筋のうち、一方の上端筋に対してほぼ平行に配置される２本の支持筋と、上記支持筋に接合され上記埋込体を固定する埋込体固定部による埋込体固定金具を、長さを通常の人間の両手を広げた長さに対応させて、用いたものがある。
以下に示す特許文献は、このような埋込体固定金具を上端筋の上に配置している。そして、埋込体固定金具は上端筋に対して結束することにより固定し、埋込体固定部を埋込体に形成された嵌入孔に嵌入することで、埋込体の固定状態を確実なものにし、埋込体を埋込体固定部から容易に離脱しないようにすることができ、均質なコンクリートスラブを提供することができる。
【特許文献１】特許公開２００５−１６３３４０
【発明の開示】
【発明が解決しようとする課題】
【０００５】
しかし、上記広報に記載されたボイドスラブ工法にあっては、埋込体固定金物と埋込体を分離する必要が多々あり、分離した埋込体は固定金物と連結しなければ使用できないため、分離作業と連結作業が発生する。埋込体と埋込体固定用金物を分離するにあたり、埋込体の嵌入孔が損傷することがあり、損傷した埋込体を埋込体固定金物に連結しても固定状態が確実とならず、また埋込体の損傷による破片が散乱し、回収が困難になるという問題があった。
【０００６】
さらに、上記広報に記載されたボイドスラブ工法にあっては、中空部の形成に発泡合成樹脂製埋込体を使用した場合には、コンクリートの打設後において、周囲からの圧力によって該発泡合成樹脂製埋込体の内部に存在した空気が押され、気泡として外部に出ることが数時間にわたって継続して生じ、硬化したコンクリートスラブ表面に直径２〜３ｍｍ程度の気泡痕が残ることがあった。このような気泡痕は、水等の浸入の虞があり、将来的にコンクリートの強度低下を引き起こす原因にもなる可能性があった。
【課題を解決するための手段】
【０００７】
請求項１に記載した発明は、縦横に配筋された上端筋（３）と下端筋（４）との間の空間（５）に軽量材からなる埋込体（６）を位置させ、該埋込体（６）をコンクリートスラブ（１）内に埋設するコンクリートボイドスラブ工法に用いられる複数の埋込体（６）を埋込体固定金具（２）により連結させた埋込体ユニット（１０）であって、
球体及び楕円球体の外殻を複数割りにした如き形状をした合成樹脂材料から成る埋込体上部要素（２１）と、球体及び楕円球体の外殻を複数割りにした如き形状をした発泡合成樹脂から成る埋込体下部要素（２２）の開口周縁（２３）を合わせて組み立てることにより形成した埋込体（２０）と、
縦横に配筋された上端筋（３）のうち、一方の上端筋（３ｘ）に対してほぼ平行に配置される支持筋（３１）と、支持筋（３１）に直交方向に接合され一定間隔に設けられた、上記埋込体上部要素（３１）に形成された中嵌入溝（３４）、側嵌入溝（３５ａ、３５ｂ）に嵌入され、埋込体上部要素固定蓋（３６）を折り曲げ、蓋（３６）とスナップフィット機構を持つ鉤（３７ａ、３７ｂ）とを結合することで、支持筋（３１）と埋込体（２０）を連結する埋込体固定筋（３２）を有する埋込体固定金具（３０）、から成るものである。
【０００８】
請求項２に記載した発明は、前期埋込体（２０）の埋込体上部要素（２１）を、機密性を有する合成樹脂材料により形成したものである。
【発明の効果】
【０００９】
請求項１に記載した発明によれば、簡単な構造で埋込体（２０）をコンクリートスラブ（１）内において設計上の所定の位置に埋設することができ、均質なコンクリートスラブ（１）を提供することができる。
【００１０】
請求項1に記載した発明によれば、埋込体（２０）の中嵌入溝（２６）及び側嵌入溝（２７ａ、２７ｂ）に埋込体固定筋（３２）を嵌入し、固定蓋（２６）を閉じるだけで埋込体（２０）を固定することができ、固定手段の構造が簡単で、その取付（固定）作業性をきわめて容易にすることができる。また固定蓋（２６）を開くことで埋込体（２０）の中嵌入溝（２６）、側嵌入溝（２７ａ、２７ｂ）に嵌入された埋込体固定筋（３２）が容易に取り外すことができるようになり、埋込体固定金物（３０）から埋込体（２０）を取り外せるため、埋込体（２０）が損傷することがなく、埋込体（２０）の再利用が可能となり、埋込体（２０）の破片が散乱することがなくなる。
【００１１】
請求項２に記載した発明によれば、埋込体上部要素（２１）を気密性を有する合成樹脂層により形成しことで、発泡合成樹脂から成る埋込体下部要素（２２）及び空洞部からの気泡の発生が阻止され、気泡痕のない中空コンクリートスラブを形成することができる。
【発明を実施するための最良の形態】
【００１２】
以下、本発明の好ましい実施の形態を、図面を参照して説明する。
図１は埋込体ユニット（１０）の断面図（分解状態）である。球体の埋込体（２０）の上部半球が合成樹脂層により形成されていることから、発泡合成樹脂から成る埋込体下部要素（２２）及び空洞部からの気泡の発生が阻止される。
【００１３】
図２は埋込体固定筋（３２）と埋込体上部要素（２１）の連結手順を示したものである。（ａ１）は埋込体上部要素（２１）と埋込体固定筋（３２）が分離状態の正面図、（ａ２）は同平面図、（ａ３）は同側面図となる。（ｂ１）は埋込体上部要素（２１）の中嵌入溝（２４）、側嵌入溝（２５ａ、２５ｂ）へ埋込体固定筋（３２）が嵌入した状態の正面図、（ｂ２）は同平面図、（ｂ３）は同側面図となる。（ｃ１）は埋込体上部要素（２１）の固定蓋（２６）を折り曲げ、固定蓋（２６）とスナップフィット機構を持つ鉤（２７ａ、２７ｂ）とを結合することで埋込体上部要素（２１）と埋込体固定金具（３０）が結合された状態の正面図、（ｃ２）は同平面図、（ｃ３）は同側面図となる。固定蓋（２６）を折り曲げ、固定蓋（２６）と鉤（２７ａ、２７ｂ）の結合、分離することで埋込体上部要素（２１）と埋込体固定筋（３２）を容易に着脱できる。
【００１４】
図３は連結された状態における埋込体ユニット（１０）示したものである。（ａ）が平面図、（ｂ）側面図である。
【００１５】
図４は埋込体（２０）の形状例である。（ａ）は球体形状の埋込体（２０）、（ｂ）は楕円球体の埋込体（２０）である。
【００１６】
図５は本考案の埋込体ユニット（１０）を用いるコンクリートスラブ施工法である。図４（ａ）はコンクリートスラブ施工方法における上端筋（４ｘ、４ｙ）及び下端筋（３ｘ，３ｙ）を配筋した状態を示す側断面図である。図４（ｂ）は埋込体ユニット（１０）をコンクリートスラブ予定空間に配置する直前の状態を示す側断面図である。図４（ｃ）は埋込体ユニット（１０）をコンクリートスラブ予定空間に配置した状態を示す側断面図である。図４（ｄ）はコンクリート（ｃ）を打設している状態を示す側断面図である。
【図面の簡単な説明】
【００１７】
【図１】埋込体ユニット（１０）の断面図（分解状態）である。
【図２】埋込体固定筋（３２）と埋込体上部要素（２１）の連結手順を示したものである。
【図３】埋込体ユニット（１０）の平面図及び立面図である。
【図４】埋込体の形状例を示した立面図である。
【図５】本考案の埋込体ユニット（１０）を用いるコンクリートスラブ施工法の作業手順を示したものである。
【符号の説明】
【００１８】
２ 型枠板
３ｘ 下端筋（下側）
３ｙ 下端筋（上側）
４ｘ 上端筋（上側）
４ｙ 上端筋（下側）
１０ 埋込体ユニット
２０ 埋込体
２１ 埋込体上部要素
２２ 埋込体下部要素
２３ａ 上部開口周縁
２３ｂ 下部開口周縁
２４ 中嵌入溝
２５ａ 側嵌入溝
２５ｂ 側嵌入溝
２７ 固定蓋
２８ａ 鉤
２８ｂ 鉤
３０ 埋込体固定金具
３１ 支持筋
３２ 埋込体固定筋
Ｃ   コンクリート
【図１】
2009215776.tif 000003
【図２】
2009215776.tif 000004
【図３】
2009215776.tif 000005
【図４】
2009215776.tif 000006
【図５】
2009215776.tif 000007